(57)【要約】【課題】使い勝手が良い、座面拡張型のベンチを提供すること。【解決手段】座面拡張型ベンチ１０は、座面板１１と、座面板１１を水平状態に支持している４本の脚１２（１２ａ，１２ｂ，１２ｃ，１２ｄ）と、平面視が方形の外縁を備え、一辺が座面板１１の一方の短辺とヒンジ結合されていて、座面板１１と面一に延びる水平状態と、座面板１１から垂下した垂直状態とに変位可能な拡張座面板１３と、一対の脚及び当該一対の脚を水平方向にスライド移動させるための保持フレームを備え、一対の脚が座面板１１を支持する２本の脚に当接した収納状態と、水平状態になった拡張座面板１３を支持する伸長状態とにスライド移動し得るスライド脚装置３０と、を含む。【選択図】図１
2019195456.tif 000002
【特許請求の範囲】
【請求項１】
一対の短辺及び長辺を有し、平面視が横長の矩形外縁を備え、複数名が横に並んで同時に着座可能なように、水平に配置される座面板と、
前記座面板の下面側四角からそれぞれ垂直に下方へ延び、前記座面板を水平状態に支持している４本の脚と、
四短辺を有し、平面視が方形の外縁を備え、一辺が前記座面板の一方の短辺とヒンジ結合されていて、前記座面板の前記一方短辺側横方向に前記座面板と面一に延びる水平状態と、前記座面板の前記一方短辺側から垂下した垂直状態とに変位可能な拡張座面板と、
一対の脚及び当該一対の脚を水平方向にスライド移動させるための保持フレームを備え、前記一対の脚が前記座面板の前記一方短辺側を支持する２本の脚に当接した収納状態と、前記一対の脚が前記水平状態になった前記拡張座面板を支持する伸長状態とにスライド移動し得るスライド脚装置と、
を含むことを特徴とする、座面拡張型ベンチ。
【請求項２】
前記スライド脚装置は、
前記一対の脚の上根元部分を所定の間隔で連結するための短辺連結部材と、
先端が前記一対の脚の上根元部分に接続されており、前記座面板の下面に沿って前記座面板の長さ方向に延びる長枠部材とを含むことを特徴とする、請求項１に記載の座面拡張型ベンチ。
【請求項３】
前記一対の脚が前記２本の脚に当接した前記収納状態において、当接した各一対の脚の一方と２本の脚のうちの一方、及び一対の脚の他方と２本の脚のうちの他方が、それぞれ、一体となった一本の脚に見えるように、前記一対の脚の断面形状と、前記２本の脚の断面形状とが、四角形又は円形を２分割した相補的な形状にされていることを特徴とする、請求項２に記載の座面拡張型ベンチ。
【発明の詳細な説明】
【技術分野】
【０００１】
本発明は、ベンチ（長椅子）に関し、特に、ダイニングテーブル等と組み合わせて使用されるベンチに関する。
【背景技術】
【０００２】
ダイニングテーブルにおいては、天板を拡張できる構成が、例えば、特許文献１に提案されている。
ところが、ダイニングテーブルと共に用いられるベンチに関しては、座面を拡張できる等の構成は提案されていないようである。
ベンチに関し、座面を変更できるようにした提案は、特許文献２、３に紹介されている。
【先行技術文献】
【特許文献】
【０００３】
【特許文献１】特開２００５−０５２４７７号公報
【特許文献２】特開平８−２４６６８９号公報
【特許文献３】特表平１１−５０２１２９号公報
【発明の概要】
【発明が解決しようとする課題】
【０００４】
ベンチ、特にダイニングテーブルと共に用いられるベンチにおいて、着座する人数が増えた場合等に、座面を拡張できるものがあれば、使い勝手が良く、望ましい。
本発明は、上記の背景のもとになされたものであり、使い勝手が良い、座面拡張型のベンチを提供することを主たる目的とする。
【課題を解決するための手段】
【０００５】
本発明は、上記目的を達成するために、請求項１記載の発明は、一対の短辺及び長辺を有し、平面視が横長の矩形外縁を備え、複数名が横に並んで同時に着座可能なように、水平に配置される座面板と、前記座面板の下面側四角からそれぞれ垂直に下方へ延び、前記座面板を水平状態に支持している４本の脚と、四短辺を有し、平面視が方形の外縁を備え、一辺が前記座面板の一方の短辺とヒンジ結合されていて、前記座面板の前記一方短辺側横方向に前記座面板と面一に延びる水平状態と、前記座面板の前記一方短辺側から垂下した垂直状態とに変位可能な拡張座面板と、一対の脚及び当該一対の脚を水平方向にスライド移動させるための保持フレームを備え、前記一対の脚が前記座面板の前記一方短辺側を支持する２本の脚に当接した収納状態と、前記一対の脚が前記水平状態になった前記拡張座面板を支持する伸長状態とにスライド移動し得るスライド脚装置と、を含むことを特徴とする、座面拡張型ベンチである。
【０００６】
請求項２記載の発明は、前記スライド脚装置は、前記一対の脚の上根元部分を所定の間隔で連結するための短辺連結部材と、先端が前記一対の脚の上根元部分に接続されており、前記座面板の下面に沿って前記座面板の長さ方向に延びる長枠部材とを含むことを特徴とする、請求項１に記載の座面拡張型ベンチである。
請求項３記載の発明は、前記一対の脚が前記２本の脚に当接した前記収納状態において、当接した各一対の脚の一方と２本の脚のうちの一方、及び一対の脚の他方と２本の脚のうちの他方が、それぞれ、一体となった一本の脚に見えるように、前記一対の脚の断面形状と、前記２本の脚の断面形状とが、四角形又は円形を２分割した相補的な形状にされていることを特徴とする、請求項２に記載の座面拡張型ベンチである。
【発明の効果】
【０００７】
本発明によれば、通常の使用時には、コンパクトなベンチとして用いることができ、かつ、着座人数の増加に合わせて、容易に座面を拡張でき、安定性にも優れた使い勝手の良いベンチを提供できる。
【図面の簡単な説明】
【０００８】
【図１】図１は、折畳時のベンチ１０の正面図であり、内部構造を示すために、一部断面で示されている。
【図２】図２は、折畳時のベンチ１０の右側面図である。
【図３】図３は、伸長時のベンチ１０の正面図であり、内部構造を示すために、一部断面で示されている。
【図４】図４は、伸長時のベンチ１０の平面図である。
【図５】図５は、ベンチ１０の構成要素である座面板１１及び拡張座面板１３の構成を説明するための正面断面図である。
【図６】図６は、座面板１１及び拡張座面板１３の底面図である。
【図７】図７は、座面板１１を支持する脚構造２０の正面図であり、一部断面で示されている。
【図８】図８は、脚構造２０の底面図である。
【図９】図９は、スライド脚装置３０の正面図であり、一部断面で示されている。
【図１０】図１０は、スライド脚装置３０の底面図である。
【図１１】図１１は、スライド脚装置３０の右側面図である。
【図１２】図１２は、ベンチ１０において、拡張座面板１３を伸長するために、拡張座面板１３をわずかに持ち上げた状態を示す部分斜視図である。
【図１３】図１３は、ベンチ１０において、拡張座面板１３を伸長するために、拡張座面板１３を水平位置まで持ち上げ、スライド脚装置３０を脚構造２０から途中まで引き出した状態を下方から見た斜視図である。
【図１４】図１４は、伸長時における拡張座面板１３及びスライド脚装置３０の状態を示す、ベンチ１０を下から見た斜視図である。
【発明を実施するための形態】
【０００９】
以下には、図面を参照して、本発明の実施形態について具体的に説明する。
図１ないし図４は、本発明に係るベンチ１０の実施例を示す。図１は、折畳時のベンチ１０の正面図であり、内部構造を示すために、一部断面で示されている。図２は、折畳時のベンチ１０の右側面図である。図３は、伸長時のベンチ１０の正面図であり、内部構造を示すために、一部断面で示されている。図４は、伸長時のベンチ１０の平面図である。
【００１０】
図１〜４を参照して、ベンチ１０は、座面板１１と、座面板１１を支える４本の脚１２（１２ａ，１２ｂ，１２ｃ，１２ｄ）とを有する。また、ベンチ１０は、拡張座面板１３と、拡張座面板１３が機能する伸長時に、拡張座面板１３を支えるスライド脚装置３０を備える。係る構成を具備することにより、ベンチ１０は、複数人（例えば、２〜３名）が同時に腰をかけることができると共に、人数が増えた場合に、拡張座面板１３を機能させて、より多くの人（例えば３〜４名）が同時に腰をかけて使用できるものとなっている。
【００１１】
図５は、ベンチ１０の構成要素である座面板１１及び拡張座面板１３の構成を説明するための正面断面図であり、図６は、座面板１１及び拡張座面板１３の底面図である。
図５及び図６を参照して、座面板１１は、平面視が横長の矩形の外縁を備えており、一対の短辺１１５，１１６と、一対の長辺１１７，１１８を有している。座面板１１の長辺１１７，１１８は、一例として、１０２０ｍｍの寸法を有し、短辺１１５，１１６は、一例として３５０ｍｍの寸法を有する。そして、座面板１１は、基板１１１、基板１１１の上に積層された第１の弾性シート１１２、第１の弾性シート１１２の上に積層された第２の弾性シート１１３及び第２の弾性シートの上に積層され、周縁部が第２の弾性シート、第１の弾性シート及び基板１１１の周縁を覆うように、基板１１１の底面周縁に取り付けられたカバーシート１１４を含んでいる。
【００１２】
よって、座面板１１には、２名が横に並んでゆったりと着座可能であり、少し詰めれば３名が横に並んで着座することができる。
拡張座面板１３は、平面視が方形の外縁を備えており、四短辺１３１，１３２，１３３，１３４を有している。各短辺１３１〜１３４は、それぞれ、一例として、３５０ｍｍの寸法を有する。そして、拡張座面板１３は、座面板１１と同様に、基板１３５、第１の弾性シート１３６、第２の弾性シート１３７及びカバーシート１３８の４層構造をしており、拡張座面板１３の周縁部は、カバーシート１３８で覆われている。
【００１３】
座面板１１及び拡張座面板１３は、一対の蝶番１５によってヒンジ結合されている。具体的には、座面板１１の一方短辺１１６と拡張座面板１３の一短辺１３１とが対向され、座面板１１の底面と拡張座面板１３の底面とが蝶番１５を用いて連結されている。よって、座面板１１と拡張座面板１３とは、図５及び図６に示すように、両者が真直に延びた状態と、図５に２点鎖線で示すように、座面板１１に対して拡張座面板１３が９０°折れ曲がった状態とに変位することができる。
【００１４】
また、拡張座面板１３が折れ曲がった状態のとき、拡張座面板１３の短辺１３１が座面板１１の短辺１１６から離れ、座面板１１の端縁下方に回り込む構成である。これは、蝶番１５の折れ曲がり軸１５１を座面板１１の短辺１１６からやや内方へ入った位置にすることにより、実現されている。
この結果、拡張座面板１３が座面板１１の短辺１１６から垂下した垂直状態のときに、拡張座面板１３の存在が気にならず、美感等が向上するという利点がある。
【００１５】
図６において、拡張座面板１３の下面の短辺１３３寄りの位置に、短辺１３３に平行に設けられた突起１６は、後述するスライド脚装置３０の位置決め固定部材である。また、突起１６に直角方向に延びる部材１７は、スライド脚装置３０のためのスライドガイド部材１７である。
さらに、座面板１１の下面に設けられた長手の突起１８は、後述するスライド脚装置３０の引き出し限界を設定するストッパー部材１８である。
【００１６】
図７は、座面板１１を支持する脚構造２０の正面図であり、一部断面で示されている。また、図８は、脚構造２０の底面図である。
図７及び図８を参照して、脚構造２０は、ベースフレーム２１及び４本の脚１２（１２ａ，１２ｂ，１２ｃ，１２ｄ）を有する。ベースフレーム２１は座面板１１の底面に当接して固定される枠体であり、底面視は、座面板１１の平面視と同様に、横長の矩形形状を成している。ベースフレーム２１の四角には、４本の脚１２の上端部分が固定されている。
【００１７】
ベースフレーム２１は、幕板として機能する一対の長幕板２２及び一対の長幕板２２の一方端縁側（図７、８において左側）に、長幕板２２に直交方向に配置される短幕板２３を有している。一対の長幕板２２の他方端縁側（図７、８において右側）には、短幕板は存在せず、ベースフレーム２１は、この他方端縁側において、枠が開放した形態をしている。
【００１８】
４本の脚１２のうち、２本の脚１２ａ，１２ｂは、それぞれ、その上端部分が、一方の長幕板２２の一方端部と短幕板２３の一方端部とに直角方向から挟まれるように、また、他方の長幕板２２の一方端部と短幕板２３の他方端部とに直角方向から挟まれるように、固定されている。
また、脚１２ａ，１２ｂと長幕板２２及び短幕板２３との取付角部の内方には、三角形状の補強板２４が設けられてもよい。
【００１９】
４本の脚１２のうち、残り２本の脚１２ｃ，１２ｄは、その上端部分がそれぞれ、長幕板２２の他方端部に連結されて固定されている。また、長幕板２２の他方端部間及び２本の脚１２ｃ，１２ｄの上端部分同士は、補強桟２５で連結固定されている。
さらに、一対の長幕板２２の長手方向中央部には、一対の長幕板２２の幅方向の下端同士を繋ぐ補強桟２６が設けられている。
【００２０】
また、一対の長幕板２２の互いに対向する内側面には、他方端（図７、８において右側）寄りの位置に、長幕板２２の長さ方向に延びるスライドガイド棒２７が設けられている。スライドガイド棒２７は、後述するスライド脚装置３０のスライド移動がスムーズにできるよう、補助するための棒である。
図９は、スライド脚装置３０の正面図であり、一部断面で示されている。図１０は、スライド脚装置３０の底面図であり、図１１は、スライド脚装置３０の右側面図である。
【００２１】
スライド脚装置３０は、前述した通り、拡張座面板１３が機能する伸長時に、拡張座面板１３を支えるものである。スライド脚装置は、脚構造２０（図７及び図８を参照）に組み込まれ、脚構造２０から右方向へ引き出せるように、スライド移動し得る。
図９〜１１を参照して、スライド脚装置３０は、スライドフレーム３１及び２本の脚３２ａ，３２ｂを含む。
【００２２】
スライドフレーム３１は、一対の長手板材３３と、一対の長手板材３３の左端部間を繋ぐ桟木３４と、一対の長手板材３３の長さ方向中央部間を繋ぐ桟木３５とを備える。一対の長手板材３３の各外側面には、前述したスライドガイド棒２７と係合する溝４０が形成されている。そして、一対の長手板材３３の右端部には、それぞれ、脚３２ａ，３２ｂの上端部分が取り付けられている。また、脚３２ａ，３２ｂ間は、短幕板３６で連結されている。短幕板３６の下側面中央部には、スライド脚装置３０を引き出す際に手指を掛ける為の凹部３７が形成されていてもよい。
【００２３】
また、短幕板３６の内側面（図９及び１０において左側面）には、引き出したスライド脚装置３０を拡張座面板１３の底面の突起１６と係止するための係止板３８が設けられている。
なお、スライドフレーム３１には、必要に応じ、隅木３９を設け、フレーム構造が強化されているのが好ましい。
【００２４】
スライド脚装置３０が脚構造２０内に収容されるように組み込まれた際に、スライド脚装置３０に備えられた２本の脚３２ａ，３２ｂは、それぞれ、脚１２ｃ，１２ｄに当接し、脚３２ａと脚１２ｃとが一体化された１本の脚となるように、また、脚３２ｂと脚１２ｄとが一体化された１本の脚となるように、これら脚３２ａ，３２ｂ、１２ｃ，１２ｄの断面形状が工夫されている。
【００２５】
すなわち、脚３２ａと脚１２ｃは、その長さ方向に断面方向の形状において、四角形又は円形を２分割した相補的な形状にされている。脚３２ｂと脚１２ｄの形状も、同様である。
これにより、スライド脚装置３０が脚構造２０に収容された状態、つまりベンチ１０の折畳時（図１を参照）において、脚１２ｃと脚３２ａ、及び脚１２ｄと脚３２ｂが、それぞれ、１本の脚のように見え、ベンチの美感が向上する。
【００２６】
図１２は、ベンチ１０において、拡張座面板１３を伸長するために、拡張座面板１３をわずかに持ち上げた状態を示す部分斜視図である。
図１３は、ベンチ１０において、拡張座面板１３を伸長するために、拡張座面板１３を水平位置まで持ち上げ、スライド脚装置３０を脚構造２０から途中まで引き出した状態を下方から見た斜視図である。
【００２７】
図１４は、伸長時における拡張座面板１３及びスライド脚装置３０の状態を示す、ベンチ１０を下から見た斜視図である。
図１２に示すように、ベンチ１０において、拡張座面板１３は、座面板１１の一方短辺から下方へ垂下した状態であるから、拡張座面板１３を伸長する際には、拡張座面板１３を容易に持ち上げることができる。
【００２８】
そして、図１３に示すように、拡張座面板１３を水平状態に持ち上げ、その状態でスライド脚装置３０を引き出すことができる。スライド脚装置３０を引き出す際には、スライド脚装置３０の短幕板３６に形成された凹部３７に手指を掛けて、容易にスライド脚装置３０を引き出すことができる。
図１４を参照して、引き出したスライド脚装置３０は、スライドガイド部材１７に案内され、拡張座面板１３をやや持ち上げるように最終位置まで引き出される。そして、スライド脚装置３０の係止板３８と拡張座面板１３の底面に設けられた突起１６とが上下方向に当接した状態で、スライド脚装置３０の引き出しが完了する。スライド脚装置３０の当該引き出し位置は、スライド脚装置３０の桟木３４と座面板１１の下面に設けられたストッパー部材とが当接することによって規制されている。
【００２９】
そして、係止板３８及び突起１６に設けられたフック金具４１を掛けることによって、拡張座面板１３とスライド脚装置３０がずれたりすることを防止できる。
加えて、フック金具４１は、伸長時のベンチ１０を移動させる場合等に、スライド脚装置３０が不用意に動かないようにし、不意の形態変化を防止して、使用安定性及び使用安全性を高める作用をする。
【００３０】
上述の実施例では、ベンチ１０は、座面板１１の一方短辺側にだけ、拡張座面板１３が設けられ、かつ、それを支えるスライド脚装置３０が１つだけ設けられた例を説明した。
しかし、本発明に係るベンチは、座面板１１の両側短辺にそれぞれ拡張座面板１３を設け、脚構造の両側から、それぞれ、スライド脚装置３０を引き出せる構成とすることにより、座面板１１を左右両側へ伸長（拡張）できる構成のベンチとすることもできる。
【００３１】
この発明は、以上説明した実施形態に限られるものではなく、請求項記載の範囲内において、種々の変更が可能である。
【符号の説明】
【００３２】
１０    ベンチ
１１    座面板
１１１、１３５    基板
１１２、１３６    第１の弾性シート
１１３、１３７    第２の弾性シート
１１４、１３８    カバーシート
１１５、１１６    一対の短辺
１１７、１１８    一対の長辺
１２、１２ａ、１２ｂ、１２ｃ、１２ｄ    脚
１３    拡張座面板
１３１、１３２、１３３、１３４    短辺
１５    蝶番
１５１    折れ曲がり軸
１６    突起
１７    スライドガイド部材
１８    長手突起（ストッパー部材）
２０    脚構造
２１    ベースフレーム
２２    長幕板
２３、３６    短幕板
２４    補強板
２５、２６    補強桟
２７    スライドガイド棒
３０    スライド脚装置
３１    スライドフレーム
３２ａ、３２ｂ    脚
３３    長手板材
３４、３５    桟木
３７    凹部
３８    係止板
３９    隅木
４０    溝
４１    フック金具
【図１】
2019195456.tif 000003
【図２】
2019195456.tif 000004
【図３】
2019195456.tif 000005
【図４】
2019195456.tif 000006
【図５】
2019195456.tif 000007
【図６】
2019195456.tif 000008
【図７】
2019195456.tif 000009
【図８】
2019195456.tif 000010
【図９】
2019195456.tif 000011
【図１０】
2019195456.tif 000012
【図１１】
2019195456.tif 000013
【図１２】
2019195456.tif 000014
【図１３】
2019195456.tif 000015
【図１４】
2019195456.tif 000016